(57)【特許請求の範囲】
【請求項１】
メディアコンピューティング装置と情報をやりとりするリモートコントロール装置であって、リモートコントロール装置上に、
複数のオーディオ／ビデオボタンと、
複数のキーパッドボタンと、
複数のトランスポートボタンと、
開始ボタンと少なくとも１つのショートカットボタンとを含む複数のナビゲーションボタンであって、前記開始ボタンを選択すると、前記メディアコンピューティング装置が既に作動している場合には、現在作動しているいずれのメディアにも関わりなく、インターフェイスディスプレイ上に前記第１のウェブサイトホームページを表示し、前記メディアコンピューティング装置が作動してない場合には、前記メディアコンピューティング装置を起動させ、続いて、前記第１のウェブサイトホームページを表示するように前記メディアコンピューティング装置に命令する第１の信号が前記リモートコントロール装置から生成され、前記ショートカットボタンを選択すると、前記インターフェイスディスプレイ上に前記第２のウェブサイトホームページを表示するように前記メディアコンピューティング装置に命令する第２の信号が前記リモートコントロール装置から生成されるナビゲーションボタンと、
を備えたことを特徴とするリモートコントロール装置。
【請求項２】
前記ショートカットボタンは、マイＴＶボタンであり、前記第２のホームページがＴＶチャンネルの選択のために予め定義されたホームページであることを特徴とする請求項１に記載のリモートコントロール装置。
【請求項３】
マイＴＶボタン、マイミュージックボタン、マイピクチャボタン、およびマイビデオボタンをさらに備え、前記マイＴＶボタンを選択すると、予め定義されたＴＶホームページを表示するように前記メディアコンピューティング装置に命令する第３の信号が生成され、前記マイミュージックボタンを選択すると、予め定義されたミュージックホームページを表示するように前記メディアコンピューティング装置に命令する第４の信号が生成され、前記マイピクチャボタンを選択すると、予め定義されたピクチャホームページを表示するように前記メディアコンピューティング装置に命令する第５の信号が生成され、前記マイビデオボタンを選択すると、予め定義されたビデオホームページを表示するように前記メディアコンピューティング装置に命令する第６の信号が生成されることを特徴とする請求項１に記載のリモートコントロール装置。
【請求項４】
スタンバイボタンをさらに備え、前記スタンバイボタンを選択すると、スタンバイモードに入り、もし既にスタンバイモードに入っている場合には、オペレーションモードを起動するように前記メディアコンピューティング装置に命令する信号が生成されることを特徴とする請求項１に記載のリモートコントロール装置。
【請求項５】
印刷ボタンをさらに備え、前記印刷ボタンを選択すると、特定の項目を印刷するように前記メディアコンピューティング装置に命令する信号が生成されることを特徴とする請求項１に記載のリモートコントロール装置。
【請求項６】
縦横比ボタンをさらに備え、前記縦横比ボタンを選択すると、前記インターフェイスディスプレイ上のビデオモードを切り替えるように前記メディアコンピューティング装置に命令する信号が生成されることを特徴とする請求項１に記載のリモートコントロール装置。
【請求項７】
前記ナビゲーションボタンのうちの少なくとも１つを操作すると、前記インターフェイスディスプレイ上に表示されたフォーカスの当たる部分を変更させるようメディアコンピューティング装置に命令する信号が前記リモートコントロール装置から生成されることを特徴とする請求項１に記載のリモートコントロール装置。
【請求項８】
前記インターフェイスディスプレイは、タブベースのインターフェイスディスプレイであることを特徴とする請求項７に記載のリモートコントロール装置。
【請求項９】
前記インターフェイスディスプレイによってユーザが離れた位置から前記メディアコンピューティング装置とインターフェイスをとることができることを特徴とする請求項７に記載のリモートコントロール装置。
【請求項１０】
前記第１の信号は、前記第１のウェブサイトホームページを表示するために現在作動しているいずれのメディアでも中断させることを特徴とする請求項１に記載のリモートコントロール装置。
【請求項１１】
メディアコンピューティング装置と情報をやりとりするリモートコントロール装置であって、リモートコントロール装置上に、
開始ボタンであって、前記開始ボタンが選択されると、前記メディアコンピューティング装置が既に作動している場合には、現在作動しているいずれのメディアにも関わりなく、インターフェイスディスプレイ上で前記第１のウェブサイトホームページを表示し、前記メディアコンピューティング装置が作動してない場合には、前記メディアコンピューティング装置を起動させ、続いて、前記第１のウェブサイトホームページを表示するように前記メディアコンピューティング装置に命令する第１の信号が前記リモートコントロール装置から生成される開始ボタンと、
複数のショートカットボタンであって、それぞれのショートカットボタンが選択されると、インターフェイスディスプレイ上で前記ショートカットボタンに関連付けられたウェブサイトホームページを表示するように前記メディアコンピューティング装置に命令するそれぞれに対応する信号が前記リモートコントロール装置から生成されるショートカットボタンと
を備えたことを特徴とするリモートコントロール装置。
【請求項１２】
前記ショートカットボタンは、マイＴＶボタン、マイミュージックボタン、マイビデオボタン、マイピクチャボタン、録画済みＴＶボタン、およびラジオボタンのうちいずれか１つから構成され、前記マイＴＶボタンは、前記関連付けられたウェブサイトホームページとして予め定義されたＴＶ選択ホームページを表示させ、前記マイミュージックボタンは、前記関連付けられたウェブサイトホームページとして予め定義されたミュージック選択ホームページを表示させ、前記マイビデオボタンは、前記関連付けられたウェブサイトホームページとして予め定義されたビデオ選択ホームページを表示させ、前記マイピクチャボタンは、前記関連付けられたウェブサイトホームページとして予め定義されたピクチャ選択ホームページを表示させ、前記録画済みＴＶボタンは、前記関連付けられたウェブサイトホームページとしてユーザが定義した録画済みＴＶページを表示させ、前記ラジオボタンは、前記関連付けられたウェブサイトホームページとしてユーザが定義したラジオページを表示させることを特徴とする請求項１１に記載のリモートコントロール装置。
【請求項１３】
少なくとも１つのプログラム可能ボタン
をさらに備えたことを特徴とする請求項１１に記載のリモートコントロール装置。
【請求項１４】
項目を印刷するための信号の送信を開始するボタンとして構成されている印刷ボタンをさらに備えたことを特徴とする請求項１１に記載のリモートコントロール装置。
【請求項１５】
画像の縦横比を変更するための信号の送信を開始するボタンとして構成されている縦横比ボタンをさらに備えたことを特徴とする請求項１１に記載のリモートコントロール装置。
【請求項１６】
メディアドライブを取り出すための信号の送信を開始するボタンとして構成されている取り出しボタン
をさらに備えたことを特徴とする請求項１１に記載のリモートコントロール装置。
【請求項１７】
テンキーパッドを介してテレテキスト入力を可能にするボタンとして構成されているテレテキストボタン
をさらに備えたことを特徴とする請求項１１に記載のリモートコントロール装置。
【請求項１８】
前記第１の信号は、前記第１のウェブサイトホームページを表示するために現在作動しているいずれのメディアでも中断させることを特徴とする請求項１１に記載のリモートコントロール装置。
【発明の詳細な説明】
【技術分野】
【０００１】
本発明は、一般にリモートコントロールおよびリモートコントロール方法に関し、より詳細には、メディアベースのコンピューティング装置をリモートで制御するシステム、方法、および装置に関する。
【背景技術】
【０００２】
従来、コンピューティング装置とエンターテイメントセンターとは、個別の装置であった。一般にコンピューティング装置は、文書処理やデータベース管理などの業務目的で使用したり、コンピュータ専用のゲームをしたりするために使用されていた。また、コンピューティング装置は、一般にコンピューティング装置が配置されている机に座るなど、近い場所からユーザ操作を行うようにも設計されている。コンピューティング装置の操作は、一般にキーボード、およびマウスなど何らかの形式のポインティング装置を使用して行われる。
【０００３】
これに対してエンターテイメントシステムにおいて、一般にユーザはオーディオおよび／またはビデオの再生などをすることができる。さらに、一般にコンピューティング装置の場合と異なり、エンターテイメントセンターとの操作が、ユーザと離れた場所で行うことができるように設計されている。例えば、一般のエンターテイメントセンターでは、エンターテイメントセンターを部屋の一端に設置し、ユーザがもう一方の端で、場合によっては長いすにもたれている状態でユーザ操作できるように設計される。ユーザとエンターテイメントセンターとの間のやり取りは、リモートコントロールにより行われることが多いこととなる。一般にエンターテイメントセンターのリモート制御において、ユーザはリモートコントロール上のボタンを押すと、それによってリモートコントロールから信号が生成され、この信号をエンターテイメントセンターですることができる。エンターテイメントセンターによって受信された信号により、テレビをオンにするなど、ユーザが望む操作に関する命令がエンターテイメントセンターに送られる。
【発明の開示】
【発明が解決しようとする課題】
【０００４】
近年、エンターテイメントセンターでは、統合化がさらに進み、より複雑になってきてユーザは多岐に渡る選択が可能となってきている。例えば、一般のエンターテイメントセンターでは、ＡＭ／ＦＭ受信機、コンパクトディスク（ＣＤ）プレイヤー、デジタルビデオディスク（ＤＶＤ）プレイヤー、およびテレビを任意に組合せることが可能である。他のＡ／Ｖ（オーディオ／ビジュアル）機能を一般のエンターテイメントセンターに含ませることもできる。エンターテイメントセンターのユーザ向けに、エンターテイメントセンターを構成する装置の各々とインターフェイスをとる「汎用の」リモートコントロールを提供する試みがなされている。しかし、エンターテイメントセンターがより複雑になっているため、汎用のリモートコントロールでは、操作が難しく、却ってユーザを混乱させている状況である。
【０００５】
このような汎用リモートコントロール自体の問題に加え、現在のシステムでは、ユーザは、同様に離れた場所からエンターテイメントセンターおよびコンピューティング装置の両方を操作することはできない。
【０００６】
したがって、ユーザが離れた視聴場所からコンピューティング装置およびエンターテイメントセンターを操作することができるシステム、方法、および装置が必要とされる。
【課題を解決するための手段】
【０００７】
本発明の一態様によれば、メディアコンピューティング装置とインターフェイスをとるリモートコントロール装置が可能となる。リモートコントロールは、複数のオーディオ／ビデオボタン、テンキーパッドボタン、トランスポートボタン、およびナビゲーションボタンを備える。特に、複数のボタンのうちの１つは、ナビゲーションボタンの一部であり、開始ボタンである。
【０００８】
本発明の別の態様によれば、メディアコンピューティング装置と通信し、インターフェイスをとるリモートコントロール装置が可能となる。リモートコントロール装置は、開始ボタンを含む複数のナビゲーションボタンを備える。また、リモートコントロール装置には、いくつかのトランスポートボタン、複数のオーディオ／ビデオボタン、および複数のテンキーパッドボタンが含まれる。
【０００９】
本発明のさらに別の態様によるリモートコントロール装置も可能である。このリモートコントロール装置には、開始ボタンおよび複数のショートカットボタンが配置されている。
【００１０】
本発明の上記の態様およびこれに関連する多くの利点は、以下の詳細な説明を添付の図面と併せ読むことにより、より容易に理解でき、またよりよく把握できるようになる。
【発明を実施するための最良の形態】
【００１１】
コンピューティング装置および何らかの形態のエンターテイメントセンターを統合する装置が開発されてきており、ユーザに対しては中央からの総合的なコンピューティング／エンターテイメントが提供される。本明細書ではこうして統合された装置を「メディアコンピューティング装置」と呼ぶ。メディアコンピューティング装置は、オーディオ／ビデオ装置を任意に組合せ、さらにコンピューティング装置を統合させたものである。例えばメディアコンピューティング装置は、コンピューティング装置、ＤＶＤプレイヤー、ＣＤプレイヤー、およびプラズマモニタなどのビジュアルインターフェイスを備えることができ、これらは、コンピュータ装置により操作および制御が行われるようにすべて統合されている。
【００１２】
図１３Ａは、本発明の一実施形態によるメディアコンピューティング装置１３００の一例を示すブロック図である。メディアコンピューティング装置１３００は、インターフェイス装置１３０３、コンピューティング装置１３０５、ＤＶＤプレイヤー１３０７、ＣＤプレイヤー１３０９、およびＴＶチューナー１３１１を備えている。メディアコンピューティング装置１３００は、ユーザが望む装置のどんな組合せを含むことができることは理解できるであろう。
【００１３】
図１３Ｂは、本発明の一態様によるユーザが離れた場所からメディアコンピューティング装置１３００（図１３Ａ）を操作し、通信することができるように設計されたリモートコントロール１３０１のブロック図である。メディアコンピューティング装置とインターフェイスをとるリモートコントロール１３０１などのリモートコントロールを、本明細書では「メディアコンピューティング装置リモートコントロール」と呼ぶ。メディアコンピューティング装置リモートコントロール１３０１は、ユーザが選択可能な所定のボタンを備えることによってユーザとメディアコンピューティング装置１３００との間で通信ができるように構成されており、ユーザによる起動操作に応答して所定の信号がメディアコンピューティング装置リモートコントロール１３０１内で生成され、この信号がメディアコンピューティング装置リモートコントロール１３０１から送信され、メディアコンピューティング装置１３００によって受信されるようになっている。電子装置とインターフェイスをとる信号の送信は、本技術分野では知られており、本明細書では詳しく説明しない。例えば、メディアコンピューティング装置リモートコントロール１３０１によって生成される信号は、無線および／または赤外線信号を介して送信することができる。
【００１４】
メディアコンピューティング装置１３００は、メディアコンピューティング装置リモートコントロール１３０１からの信号の受信に応答して、適切な応答を生成する。本明細書に記載するように、適切な応答とは、インターフェイスディスプレイ１３０３上にユーザ定義のショートカット画面を表示するといったものから、メディアコンピューティング装置１３００をスタンバイ状態にするといったものまで、様々な応答を任意に考えることができる。
【００１５】
図１は、本発明の一実施形態によるメディアコンピューティング装置リモートコントロール１００の一例を示すブロック図である。メディアコンピューティング装置リモートコントロール１００は、ユーザが操作することができる複数のボタンを備え、これらのボタンが用いられてメディアコンピューティング装置とのインターフェイスを制御するための信号がメディアコンピューティング装置リモートコントロール１００により生成される。一般に、メディアコンピューティング装置リモートコントロール１００上のボタンは、ナビゲーションボタン３００、トランスポート制御ボタン５００、オーディオ／ビデオ制御ボタン６００、およびテンキーパッドボタン７００を含む４つの主な機能エリアによって分けられる。こうした４つのグループの各々のボタンは、仮想設計のコンテキストでメディアコンピューティング装置リモートコントロール１００上に提供されている。この設計により、使いやすさについての調査の結果が適用され、ユーザがメディアコンピューティング装置リモートコントロール１００を操作しやすくするためのボタンの分類および配置が提示される。
【００１６】
ユーザが押下し、または起動操作を行う機械的ボタンであるメディアコンピューティング装置リモートコントロール１００のボタンについて本明細書に記載しているが、これは説明のためのものにすぎず、本発明を単一の実施形態に限定するためのものではない。代替の実施形態では、ユーザによる操作のために、ボタンを電気的に表示することができる。例えば、ボタンをタッチディスプレイ上に表示し、ユーザがタッチディスプレイを操作することによって動作させることができる。
【００１７】
ナビゲーション制御ボタングループ３００には、開始ボタン３０１が含まれる。次に図２を参照すると、本発明の実際の一実施形態において、開始ボタン３０１は、角丸四角形の形状である。開始ボタン３０１の幅は約１２ｍｍ、開始ボタン３０１の高さは約９ｍｍである。角丸四角形の各角の丸みは、約０．７ｍｍである。実際の一実施形態において、開始ボタン３０１は、ボタン自体に表示されたＷｉｎｄｏｗｓ（登録商標）フラグを含む。さらに開始ボタンは、緑の「宝石」色とし、Ｗｉｎｄｏｗｓ（登録商標）フラグを宝石で包むようにすることもできる。開始ボタンについての上記の説明は、一例を挙げたものであり、開始ボタンの構成をこの例のみに限定するものではない。代替の実施形態において、開始ボタンは、異なるサイズ、形状、色であってもよい。例えば開始ボタンは、Ｗｉｎｄｏｗｓ（登録商標）フラグを含む丸ボタンであってもよい。
【００１８】
本明細書に記載したように、メディアコンピューティング装置リモートコントロール１００のボタングループのボタンを構成する２つのクラスのボタンがある。こうしたクラスには、メディアコンピューティング装置と十分にやり取りするのに必要なボタン、およびオプションの制御ボタンがある。オプションの制御ボタンは、メディアコンピューティング装置ソフトウェアによってサポートされており、しかしメディアコンピューティング装置リモートコントロール１００を用いてメディアコンピューティング装置と通信するのに必須ではないボタンである。
【００１９】
図３は、本発明の一実施形態による、メディアコンピューティング装置リモートコントロール１００のナビゲーション制御ボタン３００のブロック図を示している。ナビゲーション制御ボタン３００は、メディアコンピューティング装置とのやり取りの主要な部分となる。ナビゲーション制御ボタン３００によってユーザは、メディアコンピューティング装置のインターフェイスディスプレイを容易に呼び出し、操作することができる。このインターフェイスは、フォーカスポイントに基づいて行うことができ、これによりインターフェイスディスプレイ上のあちこちに移動させ、操作することができる。このいわゆる「タブインターフェイス」により、一般のコンピューティング装置で行う場合に比べ、ユーザはディスプレイ装置からさらに離れている場合にも自然なナビゲーション方法を実行することができる。
【００２０】
ナビゲーション制御ボタン３００には、開始ボタン３０１、上へボタン３０３、下へボタン、戻るボタン３０７、進むボタン３０９、ＯＫボタン３１１、バックスペースボタン３１３、詳細情報ボタン３１５、ガイドボタン３１７、およびライブＴＶボタン３１９がある。後述するように、ナビゲーション制御ボタン３００に含まれるボタンは、より多くても、またはより少なくてもよい。
【００２１】
ユーザが開始ボタン３０１を最初に操作すると、メディアコンピューティング装置のホームページが表示され、またメディアコンピューティング装置が現在稼動していない場合は、メディアコンピューティング装置を開始するようメディアコンピューティング装置に命令する信号が生成される。開始ボタン３０１を操作した結果、現在ユーザの操作がどのようなものであっても、メディアコンピューティング装置のホームページが表示される。例えばユーザがＤＶＤに格納されているムービーを見ている場合、開始ボタンを操作すると、インターフェイス上にメディアコンピューティング装置のホームページが表示される。
【００２２】
ユーザが上へボタン３０３を操作すると、インターフェイス上のフォーカスポイントをその直前の位置から１つ上に移動させ、インターフェイスディスプレイの一番上にある場合は何もアクションを起こさないようメディアコンピューティング装置に命令する信号がメディアコンピューティング装置リモートコントロール１００から生成される。あるいは、フォーカスポイントがインターフェイスディスプレイの一番上にある場合、メディアコンピューティング装置は、フォーカスポイントをインターフェイスディスプレイの一番下に移動させる場合もある。このボタンを、インターフェイスディスプレイ上でフォーカスポイントを１つ上に移動させる動作の「自動繰り返し」を行うようプログラムすることもできる。本明細書で使用する場合、「自動繰り返し」とは、ユーザが特定のボタンを押したままにすることに応答して同じ信号を何度も生成することである。
【００２３】
下へボタン３０５は、操作されると、インターフェイスディスプレイ上のフォーカスポイントを１つ下に移動させる。フォーカスポイントがインターフェイスディスプレイの一番下にある場合、下へボタン３０５を操作しても、何の動作も起こらない。代替の実施形態において、フォーカスポイントがインターフェイスディスプレイの一番下にある場合、下へボタン３０５を選択すると所定の信号が生成され、フォーカスポイントをインターフェイスディスプレイの一番上に移動させるようメディア装置に命令が出される。下へボタン３０５も自動繰り返し機能を備えることができる。左へボタン３０７は、操作すると、インターフェイスディスプレイ上のフォーカスポイントを１つ左に移動させる。インターフェイスディスプレイ上のフォーカスポイントが一番左の位置にある場合、左へボタン３０７を選択すると信号が生成されて、インターフェイスディスプレイスタック内で１ページ戻るようメディアコンピューティング装置に命令が行われる。インターフェイスディスプレイスタックは、インターフェイスディスプレイ上に表示された情報を追跡する。このボタンもまた、信号の自動繰り返しを行うようプログラムすることができる。右へボタン３０９は、操作すると、インターフェイスディスプレイ上のフォーカスポイントを１つ右に移動させ、一番右の位置にある場合は何の動作も起こさないようにメディアコンピューティング装置に対し信号が生成される。このボタンもまた、自動繰り返しを行うようプログラムすることができる。
【００２４】
ＯＫボタン３１１は、操作すると、フォーカスポイントによってインターフェイスディスプレイ上に示される動作を実行するようメディアコンピューティング装置に命令するよう信号が生成される。バックスペースボタン３１３をユーザが操作すると、インターフェイスディスプレイスタック内で１つ戻るようメディアコンピューティング装置に命令する信号をメディアコンピューティング装置リモートコントロール１００において生成する。詳細情報ボタン３１５をユーザが操作すると、入手可能な場合は、インターフェイスディスプレイ上に表示された現在のフォーカスポイントについての情報をインターフェイスディスプレイ上に表示するようメディアコンピューティング装置に命令する信号が生成される。詳細情報ボタン３１５を２度押すことによって、インターフェイスディスプレイ上に表示された情報を消すためメディアコンピューティング装置に対し信号が生成される。
【００２５】
ガイドボタン３１７をユーザが操作すると、電子プログラムガイド（「ＥＰＧ」）」を呼び出すようメディアコンピューティング装置に命令する信号がメディアコンピューティング装置リモートコントロール１００から生成される。さらに、ユーザがガイドボタン３１７を２度操作すると、インターフェイスディスプレイ上に提示されたガイドオプションを循環するようメディアコンピューティング装置リモートコントロール１００に命令する信号が生成される。ライブＴＶボタン３１９をユーザが操作すると、ライブＴＶをインターフェイスディスプレイの前面に持ってきて、ユーザが見た最後のチャンネルを表示するようメディアコンピューティング装置に命令する信号がメディアコンピューティング装置リモートコントロール１００から生成される。
【００２６】
図４は、本発明の一実施形態による、ナビゲーション制御ボタン３００に含めることもできる４つのオプションボタンを示すブロック図である。特に図４は、ナビゲーション制御ボタングループ３００に含めることができる４つのショートカットボタン４００を示すブロック図である。ショートカットボタン４００には、マイビデオボタン４０７、マイミュージックボタン４０３、マイＴＶボタン４０１、およびマイピクチャボタン４０５がある。
【００２７】
マイＴＶボタン４０１を操作すると、「ＴＶホーム」ページをインターフェイス上に提示するようメディアコンピューティング装置に命令する信号がメディアコンピューティング装置リモートコントロール１００から生成される。ＴＶホームページは、ＴＶチャンネルを選択するため、各自のホームページとしてユーザが作成し、および／または選択することができる予め定められたＴＶホームページである。マイミュージックボタン４０３は、ユーザが操作すると、「ミュージック」ページをインターフェイスディスプレイ上に表示するようメディアコンピューティング装置に命令する信号がメディアコンピューティング装置リモートコントロール１００から生成される。これによってマイミュージックボタン４０３は、ユーザが作成した予め定められたミュージックページへのショートカットとして機能する。マイピクチャボタン４０５をユーザが操作すると、インターフェイス上に「マイピクチャ」ページを表示するようメディアコンピューティング装置に命令する信号がメディアコンピューティング装置リモートコントロール１００から生成される。マイピクチャボタン４０５は、ユーザが予め定めたマイピクチャページへのショートカットとして機能する。マイビデオボタン４０７をユーザが操作すると、インターフェイス上に「マイビデオ」ページを表示するようメディアコンピューティング装置に命令する信号を生成するようメディアコンピューティング装置リモートコントロール１００に命令する。一般に、マイビデオボタン４０７は、ユーザのマイビデオページへのショートカットとして機能する。
【００２８】
図４に示したオプションのショートカットボタン４００に加えて、メディアコンピューティング装置リモートコントロールは、追加のオプションボタンを備えることもできる。例えば、追加のオプションボタンには、録画ＴＶボタン８０１（図８Ｂ）などがある。録画ＴＶボタン８０１をユーザが操作すると、インターフェイス上に「録画済みＴＶ」ページを表示するようメディアコンピューティング装置に命令する信号がメディアコンピューティング装置リモートコントロール１００から生成される。一般に録画済みＴＶボタン８０１は、ユーザが作成した録画済みＴＶページへのショートカットとして機能する。さらにショートカットボタン４００は、ラジオボタン（図示せず）を備えることもできる。ラジオボタンを操作すると、インターフェイス上に「ラジオ」ページを表示するようメディアコンピューティング装置に命令する信号がメディアコンピューティング装置リモートコントロール１００から生成される。一般にラジオボタンは、インターフェイス上にユーザの予め設計したラジオページを表示するようメディアコンピューティング装置に命令するショートカットとして機能する。
【００２９】
図５は、本発明の一態様によるメディアコンピューティング装置１００のトランスポート制御ボタン５００のブロック図である。トランスポート制御ボタン５００には、プレイボタン５０１、一時停止ボタン５０３、停止ボタン５０５、録音ボタン５０７、早送りボタン５０９、巻き戻しボタン５１１、スキップボタン５１３、およびリプレイボタン５１５がある。
【００３０】
ユーザがプレイボタン５０１を操作すると、現在の位置ポインタでメディアの再生を開始（一時停止されている場合、続行）するようメディアコンピューティング装置に命令する信号がメディアコンピューティング装置リモートコントロール１００から生成される。ユーザが一時停止ボタン５０３を操作すると、現在の位置でメディアの再生を一時停止するようメディアコンピューティング装置に命令する信号がメディアコンピューティング装置リモートコントロール１００から生成される。一時停止ボタン５０３を連続操作すると、現在の位置ポインタで一時停止と再生の続行との間で一時停止状態を切り替えるためのメディアコンピューティング装置に対する信号が生成される。停止ボタン５０５を操作すると、メディアの再生を停止するようメディアコンピューティング装置に命令する信号がメディアコンピューティング装置リモートコントロール１００から生成される。
【００３１】
本発明の一実施形態において、停止ボタン５０５を操作すると、メディアの再生を停止し、位置ポインタをメディアの先頭に戻すようメディアコンピューティング装置に命令する信号が生成される。あるいは、メディアコンピューティング装置は、メディア内の停止信号が受信された場所に位置ポインタを置いておくことができる。録音ボタン５０７を操作すると、メディアをディスクに録音するようメディアコンピューティング装置に命令する信号がメディアコンピューティング装置リモートコントロール１００から生成される。早送りボタン５０９を操作すると、メディアストリームの時間基準を第１の早送り値まで高速化するようメディアコンピューティング装置に命令する信号がメディアコンピューティング装置リモートコントロール１００から生成される。メディアがスライドショーの場合、早送りボタン５０９を操作することによって、スライドショーの次のピクチャにスキップするようメディアコンピューティング装置に命令する。
【００３２】
第１の早送り値は、標準の再生速度の任意の倍数とすることができる。例えば、第１の早送り値は、メディアの標準再生速度の３倍とすることができる。早送りボタン５０９を連続操作すると、標準速度、第１の早送り値、およびメディアコンピューティング装置に対して予め定められた任意の追加の早送り値を結合して早送り速度値を循環するようメディアコンピューティング装置に命令する信号が生成される。予め定められた早送り値は、メディアの標準再生速度の任意の倍数とすることができる。さらに、ユーザに提供されるメディアがスライドショーである場合、ユーザが早送りボタン５０９を連続操作すると、スライドショーの一連のピクチャ内の次のピクチャにスキップし続けるようメディアコンピューティング装置に命令する信号が生成される。
【００３３】
メディアコンピューティング装置リモートコントロール１００上の巻き戻しボタン５１１を操作すると、時間基準を高速化させ、第１の巻き戻し値までメディアストリームの方向を逆転させるようメディアコンピューティング装置に命令する信号がメディアコンピューティング装置リモートコントロール１００から生成される。メディアストリームがスライドショーである場合、巻き戻しボタン５１１を操作することによって、スライドショー内の直前のピクチャをスキップするようメディアコンピューティング装置に命令する。第１の巻き戻し値は、逆方向のメディアストリームの標準再生速度の任意の倍数とすることができる。例えば、第１の巻き戻し値は、逆方向のメディアストリームの標準再生速度の３倍とすることができる。ユーザが巻き戻しボタン５１１をさらに操作すると、標準速度値、第１の巻き戻し速度値、および予め定められた任意の追加の巻き戻し速度値を結合して様々な巻き戻し速度値を循環するようメディアコンピューティング装置に命令する信号が生成される。同様に、メディアがスライドショーである場合、連続操作させた結果、メディアコンピューティング装置はスライドショー内の直前のピクチャにスキップし続ける。予め定められた巻き戻し値は、逆方向のメディアストリームの標準再生速度の任意の倍数とすることができる。
【００３４】
ユーザがスキップボタン５１３を操作すると、メディア内で１増分前方にスキップさせるようメディアコンピューティング装置に命令する信号がメディアコンピューティング装置リモートコントロール１００から生成される。例えば、再生されるメディアがＣＤからの音楽である場合、スキップボタン５１３を操作した結果、メディアコンピューティング装置は、再生リスト内の歌を１つ前方にスキップする。メディアがＤＶＤ上のムービーである場合、スキップボタン５１３を操作した結果、メディアコンピューティング装置は、次の章にスキップする。メディアがスライドショーである場合、メディアコンピューティング装置は、ユーザがスキップボタン５１３を押下することに応答して次のピクチャにスキップする。
【００３５】
ユーザがリプレイボタン５１５を操作すると、位置ポインタを１増分巻き戻し、メディアのその部分を再生するようメディアコンピューティング装置に命令する信号がメディアコンピューティング装置リモートコントロール１００から生成される。例えば、再生されているメディアがＣＤによる歌である場合、リプレイボタン５１５を操作した結果、メディアコンピューティング装置は、歌の先頭に戻る。メディアがＤＶＤからのムービーである場合、リプレイボタン５１５を操作した結果、ムービーは表示されている章の先頭に戻る。同様に、メディアがスライドショーである場合、リプレイボタン５１５の操作に応答して直前のピクチャが表示される。
【００３６】
図６は、本発明の一実施形態によるオーディオ／ビデオ制御ボタン６００を示すブロック図である。特に、オーディオ／ビデオ制御ボタン６００は、音量増ボタン６０１Ａ、音量減ボタン６０１Ｂ、次のチャンネル／ページへボタン６０３Ａ、前のチャンネル／ページへボタン６０３Ｂ、ミュートボタン６０５、およびＤＶＤメニューボタン６０７を備えることができる。
【００３７】
ユーザが音量増ボタン６０１Ａを操作すると、現在の音量を１単位増分させ、ミュートされている場合は、音量をミュート解除するようメディアコンピューティング装置に命令する信号がメディアコンピューティング装置リモートコントロール１００から生成される。音量増ボタン６０１Ａは、自動繰り返しを行うよう構成することができる。音量減ボタン６０１Ｂを操作すると、現在の音量を負の方向に１単位増分させ、ミュートされている場合は、音量をミュート解除するようメディアコンピューティング装置に命令する信号がメディアコンピューティング装置リモートコントロール１００から生成される。音量減ボタン６０１Ｂは、自動繰り返しを行うようプログラムすることができる。
【００３８】
次のチャンネル／ページへボタン６０３Ａを操作すると、ユーザに対してインターフェイス上に提示されている現在のチャンネルを１だけ増分させるための信号がメディアコンピューティング装置リモートコントロール１００から生成される。さらに、インターフェイスディスプレイがリスト表示モードである場合、信号は、リスト内で１ページ前方に移動するようメディアコンピューティング装置に命令する。次のチャンネル／ページへボタン６０３Ａは、自動繰り返しを行うようプログラムすることができる。前のチャンネル／ページへボタン６０３Ｂを操作すると、インターフェイス上に提示されている現在のチャンネルを１だけ減分させるようメディアコンピューティング装置に命令する信号がメディアコンピューティング装置リモートコントロール１００から生成される。さらに、リスト表示が現在インターフェイスディスプレイに表示されている場合、信号は、表示されているリスト内で１ページ戻るようメディアコンピューティング装置に命令する。前のチャンネル／ページへボタン６０３Ｂは、自動繰り返しを行うようプログラムすることができる。
【００３９】
ユーザがミュートボタン６０５を操作すると、メディアコンピューティング装置によって提供されている音量をミュートするようメディアコンピューティング装置に命令する信号がメディアコンピューティング装置リモートコントロール１００から生成される。ミュートボタン６０５を連続操作すると、ミュート状態と非ミュート状態との間を切り替えるようメディアコンピューティング装置に命令する信号が生成される。
【００４０】
ＤＶＤメニューボタン６０７を操作すると、ＤＶＤメニューをインターフェイス上に提示するようメディアコンピューティング装置に命令する信号がメディアコンピューティング装置リモートコントロール１００から生成される。また、ナビゲーション制御ボタン３００には、スタンバイボタン６０９（図１）も含まれる。スタンバイボタン６０９を操作すると、スタンバイモードまたはウェイクアップモードに移るようメディアコンピューティング装置に命令する信号がメディアコンピューティング装置リモートコントロール１００から生成される。特に、メディアコンピューティング装置が現在スタンバイモードである場合、スタンバイボタン６０９を操作すると、インターフェイスを起動させて、ユーザに使用可能にするようメディアコンピューティング装置に命令する信号が生成される。あるいは、現在メディアコンピューティング装置が起動されており、インターフェイスがユーザに使用可能な場合、スタンバイボタン６０９を操作すると、スタンバイモードになるようメディアコンピューティング装置に命令する信号が生成される。
【００４１】
図７は、本発明の一実施形態によるメディアコンピューティング装置リモートコントロール１００のテンキーパッドボタン７００のブロック図を示している。テンキーパッドボタン７００には、数字ボタン「１」７０１、「２」７０２、「３」７０３、「４」７０４、「５」７０５、「６」７０６、「７」７０７、「８」７０８、「９」７０９、「１０」７１０がある。関連分野の技術者にはよく知られているように、テンキーパッドボタン７０１〜７１０は、それぞれの数字ボタンに対する信号を生成するよう機能する。さらに、テンキーパッドボタン７０２〜７１０は、メディアコンピューティング装置に英数字入力を送信するよう機能させることもできる。本発明の一実施形態において、テンキーパッド７００に、削除ボタン７１１、エンターボタン７１３、ポンドボタン８０３（図８Ｂ）、および星印ボタン８０５（図８Ｂ）を含めることもできる。
【００４２】
図８Ａ〜８Ｃは、本発明の一実施形態によるメディアコンピューティング装置リモートコントロールの側面図である図８００Ｌ、正面図である図８００Ｆ、および背面図８００Ｂを示すブロック図である。メディアコンピューティング装置リモートコントロールの図８Ａ〜８Ｃに示すブロック図からわかるように、装置は、ユーザが快適に使いやすくなるように人間工学的に設計されている。また、メディアコンピューティング装置リモートコントロール１００の背面図８００Ｂには、メディアコンピューティング装置リモートコントロールにバッテリをいれるためのバッテリドア８１１も示されている。さらに、メディアコンピューティング装置リモートコントロールの正面を示す図８００Ｆを参照すると、ボタングループ３００、５００、６００、７００の代替の構成が示されている。図８００Ｆに示すように、ボタングループ３００、５００、６００、７００内に含まれるボタンは、図１のメディアコンピューティング装置リモートコントロール１００に示したものとは異なるように配置されており、また追加のオプションボタンを含んでいる。
【００４３】
図９Ａおよび９Ｂは、本発明の一実施形態によるメディアコンピューティング装置リモートコントロールのレイアウトおよび設計のさらに別の代替の実施形態を示している。特に、図９Ａは、本発明の一実施形態によるメディアコンピューティング装置リモートコントロール構成９００を示すブロック図である。人間工学的に設計されたメディアコンピューティング装置リモートコントロール９００からわかるように、ナビゲーション制御ボタン９０３は、図１に示したナビゲーション制御ボタン３００とは異なるように設計され、構成されている。設計レイアウトに加えて、ナビゲーション制御ボタン９０３は、メディアコンピューティング装置１００（図１）に含まれていないオプションボタンを備える。特に、ナビゲーション制御ボタン９０３は、録画済みＴＶボタン９０３Ａ、ガイドボタン９０３Ｂ、およびライブＴＶボタン９０３Ｃを備える。
【００４４】
トランスポート制御ボタン９０５も図１に示したトランスポート制御ボタン５００とは異なるように設計され、表示されている。同様に、オーディオ／ビデオ制御ボタン９０６は、図１に示したオーディオ／ビデオ制御ボタン６００とは異なるように設計され、実装されている。さらに、テンキーパッドボタン９０７は、テンキーパッド７００とは異なるように設計、構成され、追加のオプションボタンを備えている。テンキーパッドボタン７００のオプションボタンには、星印ボタン９０７Ａ、ポンドボタン９０７Ｂ、消去ボタン９１３、およびエンターボタン９１５がある。
【００４５】
しかし、図１に示したメディアコンピューティング装置リモートコントロール１００のように、また本出願の図に示した他のメディアコンピューティング装置リモートコントロールの各々と同様に、それぞれ開始ボタン３０１を含む。一例において、開始ボタン３０１は、メディアコンピューティング装置リモートコントロール９００の中心付近に配置されており、特定の形状、サイズ、および色を持つ。
【００４６】
図９Ｂは、本発明の一実施形態によるメディアコンピューティング装置リモートコントロールのさらに別の代替の実施形態のブロック図である。特に、図９Ａを参照して説明したボタンおよび設計レイアウトに加えて、図９Ｂに示したメディアコンピューティング装置リモートコントロール９２０は、メディアコンピューティング装置を制御する信号を生成するようにユーザおよび／またはメーカーによって構成できる追加のオプションボタン９０９および９１１を備える。
【００４７】
図１０Ａおよび図１０Ｂはそれぞれ、本発明の一実施形態によるメディアコンピューティング装置リモートコントロール１０００および１０２０の他の構成を示すブロック図である。メディアコンピューティング装置リモートコントロール１０００は、マイＴＶ、マイミュージック、マイピクチャ、マイビデオなどのボタンを含むショートカットボタン１００４を備える。メディアコンピューティング装置リモートコントロール１０００には、トランスポート制御ボタン１００５、ナビゲーション制御ボタン１００３、オーディオ／ビデオ制御ボタン１００６、およびテンキーパッドボタン１００７も含まれる。ナビゲーション制御ボタン１００３を参照すると、本明細書に記載したメディアコンピューティング装置リモートコントロールの他のすべての実施形態と同様に、開始ボタン３０１が含まれる。開始ボタン３０１に加えて、ナビゲーション制御ボタン１００３は、録画済みＴＶボタン１００３Ａ、ガイドボタン１００３Ｂ、およびライブＴＶボタン１００３Ｃを備える。
【００４８】
次に図１０Ｂを参照すると、メディアコンピューティング装置リモートコントロール１０２０は、図１０Ａを参照して説明したボタンに加えて、メディアコンピューティング装置とインターフェイスをとる特定の信号を生成するようにメディアコンピューティング装置リモートコントロールのユーザおよび／またはメーカーによって定義できる追加のオプションボタン１００９および１０１１を備える。
【００４９】
図１１Ａおよび１１Ｂは、本発明の実施形態によるメディアコンピューティング装置リモートコントロール１１００（図１１Ａ）および１１２０（図１１Ｂ）のさらに別の構成を示している。特に、メディアコンピューティング装置リモートコントロール１１００および１１２０は、スタンバイボタン１１０６、およびマイＴＶボタン、マイミュージックボタン、マイピクチャボタン、マイビデオボタンなどのショートカットボタン１１０４などを備える。さらに、メディアコンピューティング装置リモートコントロール１１００および１１２０には、トランスポート制御ボタン１１０５、ナビゲーション制御ボタン１１０３、オーディオ／ビデオ制御ボタン１１０６、およびテンキーパッドボタン１１０７の一意に定まる構成が含まれる。上述したように、ナビゲーション制御ボタン１１０３は、開始ボタン３０１を備える。ナビゲーション制御ボタンは、録画済みＴＶボタン、ガイドボタン、およびライブＴＶボタンも備える。
【００５０】
次に図１１Ｂを参照すると、メディアコンピューティング装置リモートコントロール１１２０は、ユーザ定義可能／メーカー定義可能なオプションボタン１１０９および１１１１がさらに備えることができる。さらに、本発明の一実施形態によれば、オプションのユーザ定義可能なカラーボタンを含むことができる。特に、メディアコンピューティング装置リモートコントロール１１２０は、無地の赤色ボタン１１１３、無地の緑色ボタン１１１５、無地の黄色ボタン１１１７、および無地の青色ボタン１１１９を含む。テンキーパッドボタン１１０７をテンキーパッドボタンからテレテキストボタンに転送するテレテキストボタン１１２１も含まれる。テレテキスト入力は、関連分野の技術者には知られており、本明細書では説明しない。
【００５１】
無地のボタン１１１３〜１１１９は、メディアコンピューティング装置リモートコントロール１１２０がテレテキストモードであるかどうかに応じて異なる作法でインターフェイスをとるように構成することができる。例えば、メディアコンピューティング装置リモートコントロール１１２０がテレテキストモードである場合、無地の赤色ボタンは、赤色のショートカットにジャンプするように構成することができる。赤色ショートカットリンクは、ユーザによって定義されたリンクとすることができる。同様に、無地の緑色ボタン１１１５のテレテキストモードを操作すると、緑色のショートカットリンクを表示するようメディアコンピューティング装置に命令する信号が生成される。同様に、メディアコンピューティング装置リモートコントロール１１２０がテレテキストモードであるとき、無地の黄色のボタン１１１７を操作すると、赤色のショートカットリンクに関連する表示をインターフェイスディスプレイ上に表示するようメディアコンピューティング装置に命令する信号がメディアコンピューティング装置リモートコントロール１１２０から生成される。最後に、メディアコンピューティング装置リモートコントロール１１２０がテレテキストモードであるとき、無地の青色のボタン１１１９を操作すると、赤色のショートカットリンクに関連する表示をインターフェイスディスプレイ上に表示するようメディアコンピューティング装置に命令する信号がメディアコンピューティング装置リモートコントロール１１２０から生成される。
【００５２】
あるいは、メディアコンピューティング装置リモートコントロール１１２０がテレテキストモードではないとき、無地のボタン１１１３〜１１１９を、メディアコンピューティング装置とインターフェイスをとるユーザ定義された信号を生成するように構成することができる。
【００５３】
図１〜１１Ｂに示した実施形態を参照して説明したボタンに加えて、メディアコンピューティング装置の実施形態では、印刷ボタン、縦横比ボタン、取り出しボタンを備えることができる。印刷ボタンを操作すると、インターフェイスのフォーカスポイントの項目を印刷するようメディアコンピューティング装置に命令する信号がメディアコンピューティング装置リモートコントロールから生成される。あるいは、メディアコンピューティング装置内で動作するアプリケーションに特定の項目を印刷するようメディアコンピューティング装置に命令することができる。ユーザが縦横比を操作すると、ビデオ表示の様々な縦横モード間で切り替えるための信号がメディアコンピューティング装置リモートコントロールから生成される。例えば縦横比モードは、１６×９とすることができる。最後に、取り出しボタンを操作すると、ＤＶＤやＣＤドライブなどのメディアドライブを取り出すようメディアコンピューティング装置に命令する信号をメディアコンピューティング装置リモートコントロールから生成することができる。
【００５４】
図１２Ａ〜１２Ｋは、本発明の一実施形態によるメディアコンピューティング装置リモートコントロールを示す様々なブロック図である。特に、図１２Ａ〜１２Ｋに示したメディアコンピューティング装置リモートコントロールの図はさらに、本発明の一実施形態によるメディアコンピューティング装置リモートコントロールの人間工学的設計を示している。図１２Ａは、メディアコンピューティング装置リモートコントロールの図１２００Ｆを示している。図１２００Ｆからわかるように、メディアコンピューティング装置リモートコントロールは、メディアコンピューティング装置リモートコントロールの中央部を湾曲させることによって人間の手に人間工学的になじむように設計されている。図１２Ｂは、本発明の一実施形態によるメディアコンピューティング装置リモートコントロールの左図を示す図１２００Ｌを示している。メディアコンピューティング装置リモートコントロールの図１２００Ｌからわかるように、装置は、ユーザの手に人間工学的になじむように曲線状のボタンを有する。
【００５５】
同様に、図１２Ｃは、本発明の一実施形態によるメディアコンピューティング装置リモートコントロールの左断面図を示す。特に図１２Ｃの断面図は、１２Ａに示した断面１２０１−１２０１である。図１２Ｄは、本発明の一実施形態によるメディアコンピューティング装置リモートコントロールの背面図である図１２００Ｂを示す。図１２Ｅは、本発明の一実施形態によるメディアコンピューティング装置リモートコントロールの斜め正面図である図１２００Ａを示す。図１２Ｆは、本発明の一実施形態によるメディアコンピューティング装置リモートコントロールのさらに別の斜め背面図である図１２００Ｂを示す。図１２Ｇは、本発明の一実施形態によるメディアコンピューティング装置リモートコントロールの平面図である図１２００Ｔを示す。図１２００Ｔからわかるように、メディアコンピューティング装置リモートコントロールは、曲線状の底部を有し、ユーザの手の中になじむように人間工学的に設計されている。
【００５６】
図１２Ｈは、図１２Ａに示したメディアコンピューティング装置の断面１２０３−１２０３を示すブロック図である。図１２Ｈの断面１２０３−１２０３からわかるように、メディアコンピューティング装置は、本発明の一実施形態に従って、人間工学的に設計されている。同様に、図１２Ｉおよび図１２Ｊはそれぞれ、図１２Ａに示したメディアコンピューティング装置リモートコントロールの断面１２０５−１２０５および断面１２０７−１２０７を示す。最後に、図１２Ｋは、本発明の一実施形態によるメディアコンピューティング装置リモートコントロールの端部を示す図１２００Ｅである。
【００５７】
上記の説明から明らかなように、メディアコンピューティング装置リモートコントロールの４つの機能グループは、必須のボタン、およびオプションボタンの任意の組合せを含み、メディアコンピューティング装置リモートコントロール上に様々な方法で配列され、提示することができる。しかし、上述したように、メディアコンピューティング装置リモートコントロールの開始ボタンは、メディアコンピューティング装置の任意の部分に容易にアクセスし、それとインターフェイスをとることができる機能をユーザに提供する。
【００５８】
本発明の実施形態を例示し、説明してきたが、本発明の精神および範囲から逸脱することなく、それに様々な変更を加えることができることを理解されたい。
【図面の簡単な説明】
【００５９】
【図１】本発明の一実施形態によるメディアコンピューティング装置リモートコントロールの一例を示すブロック図である。
【図２】本発明の一実施形態による開始ボタンを示すブロック図である。
【図３】本発明の一実施形態によるメディアコンピューティング装置リモートコントロールのナビゲーション制御ボタンを示すブロック図である。
【図４】本発明の一実施形態によるナビゲーション制御ボタンに含めることもできる４つのオプションボタンを示すブロック図である。
【図５】本発明の一実施形態によるメディアコンピューティング装置のトランスポート制御ボタンを示すブロック図である。
【図６】本発明の一実施形態によるオーディオ／ビデオ制御ボタンを示すブロック図である。
【図７】本発明の一実施形態によるメディアコンピューティング装置リモートコントロールのテンキーパッドボタンを示すブロック図である。
【図８Ａ】本発明の一実施形態によるメディアコンピューティング装置リモートコントロールの側面図、正面図、背面図を示すブロック図である。
【図８Ｂ】本発明の一実施形態によるメディアコンピューティング装置リモートコントロールの側面図、正面図、背面図を示すブロック図である。
【図８Ｃ】本発明の一実施形態によるメディアコンピューティング装置リモートコントロールの側面図、正面図、背面図を示すブロック図である。
【図９Ａ】本発明の一実施形態によるメディアコンピューティング装置リモートコントロール構成を示すブロック図である。
【図９Ｂ】本発明の一実施形態によるメディアコンピューティング装置リモートコントロール構成を示すブロック図である。
【図１０Ａ】本発明の一実施形態によるメディアコンピューティング装置リモートコントロールの他の構成を示すブロック図である。
【図１０Ｂ】本発明の一実施形態によるメディアコンピューティング装置リモートコントロールの他の構成を示すブロック図である。
【図１１Ａ】本発明の一実施形態によるメディアコンピューティング装置リモートコントロールのさらに別の構成を示す図である。
【図１１Ｂ】本発明の一実施形態によるメディアコンピューティング装置リモートコントロールのさらに別の構成を示す図である。
【図１２Ａ】本発明の一実施形態によるメディアコンピューティング装置リモートコントロールを示す様々なブロック図である。
【図１２Ｂ】本発明の一実施形態によるメディアコンピューティング装置リモートコントロールを示す様々なブロック図である。
【図１２Ｃ】本発明の一実施形態によるメディアコンピューティング装置リモートコントロールを示す様々なブロック図である。
【図１２Ｄ】本発明の一実施形態によるメディアコンピューティング装置リモートコントロールを示す様々なブロック図である。
【図１２Ｅ】本発明の一実施形態によるメディアコンピューティング装置リモートコントロールを示す様々なブロック図である。
【図１２Ｆ】本発明の一実施形態によるメディアコンピューティング装置リモートコントロールを示す様々なブロック図である。
【図１２Ｇ】本発明の一実施形態によるメディアコンピューティング装置リモートコントロールを示す様々なブロック図である。
【図１２Ｈ】本発明の一実施形態によるメディアコンピューティング装置リモートコントロールを示す様々なブロック図である。
【図１２Ｉ】本発明の一実施形態によるメディアコンピューティング装置リモートコントロールを示す様々なブロック図である。
【図１２Ｊ】本発明の一実施形態によるメディアコンピューティング装置リモートコントロールを示す様々なブロック図である。
【図１２Ｋ】本発明の一実施形態によるメディアコンピューティング装置リモートコントロールを示す様々なブロック図である。
【図１３Ａ】本発明の一実施形態によるメディアコンピューティング装置の一例を示すブロック図である。
【図１３Ｂ】本発明の一実施形態によるメディアコンピューティング装置リモートコントロールを示すブロック図である。
【符号の説明】
【００６０】
１００、８００Ｌ、８００Ｆ、８００Ｂ、９００、９２０、１０００、１０２０、１１００、１１２０、１２００Ｌ、１２００Ｆ、１２００Ｂ、１３０１  リモートコントロール
８１１  バッテリカバー
１３００  メディアコンピューティング装置
１３０３  インターフェイスディスプレイ
１３０５  コンピューティング装置
１３０７  ＤＶＤプレイヤー
１３０９  ＣＤプレイヤー
１３１１  チューナー
【図１】
0004676173.tif 000002
【図２】
0004676173.tif 000003
【図３】
0004676173.tif 000004
【図４】
0004676173.tif 000005
【図５】
0004676173.tif 000006
【図６】
0004676173.tif 000007
【図７】
0004676173.tif 000008
【図８Ａ】
0004676173.tif 000009
【図８Ｂ】
0004676173.tif 000010
【図８Ｃ】
0004676173.tif 000011
【図９Ａ】
0004676173.tif 000012
【図９Ｂ】
0004676173.tif 000013
【図１０Ａ】
0004676173.tif 000014
【図１０Ｂ】
0004676173.tif 000015
【図１１Ａ】
0004676173.tif 000016
【図１１Ｂ】
0004676173.tif 000017
【図１２Ａ】
0004676173.tif 000018
【図１２Ｂ】
0004676173.tif 000019
【図１２Ｃ】
0004676173.tif 000020
【図１２Ｄ】
0004676173.tif 000021
【図１２Ｅ】
0004676173.tif 000022
【図１２Ｆ】
0004676173.tif 000023
【図１２Ｇ】
0004676173.tif 000024
【図１２Ｈ】
0004676173.tif 000025
【図１２Ｉ】
0004676173.tif 000026
【図１２Ｊ】
0004676173.tif 000027
【図１２Ｋ】
0004676173.tif 000028
【図１３Ａ】
0004676173.tif 000029
【図１３Ｂ】
0004676173.tif 000030